(57)【要約】【課題】  部品点数を削減できるとともに装置の小型化が可能であり、かつ簡素な構成でピックアップユニットのロック機構が構成し得るディスク装置を提供する。【解決手段】  ディスク装置１は、シャーシ２と、モータ８によって所定方向に昇降可能に駆動されるドライブユニット４と、ピックアップ６を有し、モータ８によってドライブユニット４の昇降方向と略直交する方向に移動可能に駆動されるピックアップユニット５とを備える。ピックアップユニット５は、掛止片５ｃを有しており、シャーシ２は、掛止片５ｃに掛合可能な掛止部２ａを有している。そして、ドライブユニット４が下降した状態において、シャーシ２に設けられた掛止部２ａにピックアップユニット５に設けられた掛止片５ｃが掛合することにより、ピックアップユニット５がシャーシ２に対してロックされるように構成する。【選択図】        図１
2006004563.tif 000002
【特許請求の範囲】
【請求項１】
装置本体に固定されたシャーシと、
前記シャーシによって支持され、モータによって所定方向に昇降可能に駆動されるドライブユニットと、
前記ドライブユニットによって支持され、ピックアップを有し、前記モータによって前記ドライブユニットの昇降方向と略直交する方向に移動可能に駆動されるピックアップユニットとを備えたディスク装置であって、
前記ピックアップユニットは、前記ピックアップユニットの移動方向における一方端から略Ｌ字状に突出して設けられた掛止片を有し、
前記シャーシは、前記掛止片と前記ピックアップユニットの移動方向において対峙する部分に、前記掛止片よりも僅かに大きい略Ｌ字状の切り欠き部を前記ドライブユニットの昇降方向に延設することによって形成された掛止部を有し、
前記ピックアップユニットの移動方向における前記掛止部の切り欠き部の大きさは、前記掛止部の上部に比べて下部で大きく、
前記ピックアップユニットの移動方向における前記掛止部の下部における切り欠き部の大きさは、前記掛止部の下端に近付くに連れて徐々に大きくなるように形成され、
前記ドライブユニットが下降した状態において、前記シャーシに設けられた前記掛止部の下部に前記ピックアップユニットに設けられた前記掛止片が掛合することにより、前記ピックアップユニットが前記シャーシに対してロックされる、ディスク装置。
【請求項２】
装置本体に固定されたシャーシと、
前記シャーシによって支持され、モータによって所定方向に昇降可能に駆動されるドライブユニットと、
前記ドライブユニットによって支持され、ピックアップを有し、前記モータによって前記ドライブユニットの昇降方向と略直交する方向に移動可能に駆動されるピックアップユニットとを備えたディスク装置であって、
前記ピックアップユニットは、掛止片を有し、
前記シャーシは、前記掛止片に掛合可能な掛止部を有し、
前記ドライブユニットが下降した状態において、前記シャーシに設けられた掛止部に前記ピックアップユニットに設けられた掛止片が掛合することにより、前記ピックアップユニットが前記シャーシに対してロックされる、ディスク装置。
【請求項３】
前記掛止片は、前記ピックアップユニットの移動方向における前記ピックアップユニットの一方端から略Ｌ字状に突出して設けられ、
前記掛止部は、前記掛止片と前記ピックアップユニットの移動方向において対峙する部分の前記シャーシに、前記掛止片よりも僅かに大きい略Ｌ字状の切り欠き部を前記ドライブユニットの昇降方向に延設することによって形成されている、請求項２に記載のディスク装置。
【請求項４】
前記ピックアップユニットの移動方向における前記掛止部の切り欠き部の大きさは、前記掛止部の上部に比べて下部で大きく、
前記ピックアップユニットの移動方向における前記掛止部の下部における切り欠き部の大きさは、前記掛止部の下端に近付くに連れて徐々に大きく形成されている、請求項３に記載のディスク装置。
【発明の詳細な説明】
【技術分野】
【０００１】
本発明は、たとえばＤＶＤ（Digital Versatile Disc）に代表される光ディスクや磁気ディスク（以下、単にディスクと称する）の再生や記録または消去を行なうためのディスク装置に関し、より具体的には、このようなディスク装置に搭載されるピックアップユニットのロック機構に関する。
【背景技術】
【０００２】
通常、ディスク装置においては、ディスクを搬送するディスクトレイと、ディスクトレイの搬送方向に略垂直な方向に昇降可能なドライブユニットとが装置本体に設けられる。ドライブユニットには、ディスクの記録または再生を行うピックアップを有したピックアップユニットと、ピックアップユニットをディスクの径方向に移動させるモータとが設けられる。
【０００３】
モータには複数のギヤから成る伝達手段が取付けられ、モータの駆動力を減速して伝達する。伝達手段がピックアップユニットに形成されたラックと噛合することにより、モータによってピックアップユニットが移動できるようになっている。
【０００４】
また、伝達手段は、装置本体側に配された昇降手段と噛合可能になっている。昇降手段は、ドライブユニットとカム係合し、ディスクトレイの搬送方向およびドライブユニットの昇降方向と略直交する方向に移動できる。これにより、ドライブユニットが昇降する。さらに、伝達手段は、ディスクトレイに形成されたラックと噛合可能になっており、所定のタイミングにおいて伝達手段とディスクトレイとが連結してモータの駆動力がディスクトレイに伝達されるようになっている。
【０００５】
上記構成のディスク装置において、ディスクトレイにディスクが載置されると、モータの駆動によりディスクトレイがディスク装置内に搬入される。ディスクトレイが所定位置に配されるとディスクトレイと伝達手段との連結が解除され、昇降手段と伝達手段とが連結される。昇降手段はディスクトレイの搬送方向に垂直な方向に移動し、ドライブユニットを上昇させる。これにより、ドライブユニットに設けられたチャック部にディスクが係合する。
【０００６】
ディスクがチャックされると、伝達手段と昇降手段との連結が解除され、伝達手段はピックアップユニットと連結される。これにより、ピックアップユニットがディスクの径方向へ移動可能になり、ディスクの所定位置で記録または再生を行うことができる。また、ディスクを取り出す際には上記と逆の動作が行われる。
【０００７】
上記構造のディスク装置においては、ディスクトレイが引き出された状態においてピックアップユニットが移動できないようにロック機構によってロックすることが必要になる。ピックアップユニットをロックすることにより、モータに対するピックアップユニットのスタート位置が決定できるため、ディスク装置が揺動することによってピックアップ装置が位置ずれを起こし、それに伴って生じる動作不良を未然に防止することが可能になる。
【０００８】
このピックアップユニットのロック機構としては、たとえば、特開２００３−８５８５５号公報（特許文献１）や特開２００２−３２９３６１号公報（特許文献２）、特開２０００−１１５１１号公報（特許文献３）、実用新案登録第３０９５６８８号公報（特許文献４）等に開示のものが知られている。このうち、上記特許文献３には、ドライブユニットの下降時にピックアップユニットに噛合するレバー部材を弾性体により付勢してピックアップユニットがロックされる構成のロック機構が開示されている。
【特許文献１】特開２００３−８５８５５号公報
【特許文献２】特開２００２−３２９３６１号公報
【特許文献３】特開２０００−１１５１１号公報
【特許文献４】実用新案登録第３０９５６８８号公報
【発明の開示】
【発明が解決しようとする課題】
【０００９】
しかしながら、上記特許文献３に開示のディスク装置によると、ピックアップユニットをロックするためにレバー部材および弾性体を必要とするため、部品点数が多くなるとともに装置が大型化するという問題があった。また、その他の特許文献１、２および４に開示のディスク装置おいても、装置構成が複雑化したり、部品点数が増加したりするという課題を有している。
【００１０】
したがって、本発明は、上述の問題点を解決すべくなされたものであり、部品点数を削減できるとともに装置の小型化が可能であり、かつ簡素な構成でピックアップユニットのロック機構が構成し得るディスク装置を提供することを目的とする。
【課題を解決するための手段】
【００１１】
本発明の第１の局面に基づくディスク装置は、装置本体に固定されたシャーシと、上記シャーシによって支持され、モータによって所定方向に昇降可能に駆動されるドライブユニットと、上記ドライブユニットによって支持され、ピックアップを有し、上記モータによって上記ドライブユニットの昇降方向と略直交する方向に移動可能に駆動されるピックアップユニットとを備えるものである。上記ピックアップユニットは、上記ピックアップユニットの移動方向における一方端から略Ｌ字状に突出して設けられた掛止片を有し、上記シャーシは、上記掛止片と上記ピックアップユニットの移動方向において対峙する部分に、上記掛止片よりも僅かに大きい略Ｌ字状の切り欠き部を上記ドライブユニットの昇降方向に延設することによって形成された掛止部を有する。上記ピックアップユニットの移動方向における上記掛止部の切り欠き部の大きさは、上記掛止部の上部に比べて下部で大きく、上記ピックアップユニットの移動方向における上記掛止部の下部における切り欠き部の大きさは、上記掛止部の下端に近付くに連れて徐々に大きくなるように形成されている。そして、上記ドライブユニットが下降した状態において、上記シャーシに設けられた上記掛止部の下部に上記ピックアップユニットに設けられた上記掛止片が掛合することにより、上記ピックアップユニットが上記シャーシに対してロックされるように構成される。
【００１２】
このように、ピックアップユニットのロック機構を、ドライブユニットが下降した状態においてピックアップユニットとシャーシとが掛合する構成にて実現することにより、従来に比してロック機構を大幅に簡素化できようになるとともに少ない部品点数でロック機構を構成することが可能になる。このため、製造コストが大幅に削減できるとともに装置を小型化することが可能になる。
【００１３】
また、ピックアップユニットに設けられる掛止片を略Ｌ字状とし、この掛止片に掛合する略Ｌ字状の切り欠き部からなる掛止部をシャーシに設ける構成とすることにより、ドライブユニットの昇降動作にあわせてピックアップユニットのロックおよびロックの解除が行なえるようになる。
【００１４】
さらには、掛止部の下部における切り欠き部の大きさを掛止部の下端に向かうに連れて大きくなるように徐々に変化させることにより、樹脂材料を原料としてシャーシを射出成形にて形成した場合に、成形したシャーシを金型から容易に抜くことが可能になるため、作業性の改善および歩留まりの向上が期待できるようになる。
【００１５】
本発明の第２の局面に基づくディスク装置は、装置本体に固定されたシャーシと、上記シャーシによって支持され、モータによって所定方向に昇降可能に駆動されるドライブユニットと、上記ドライブユニットによって支持され、ピックアップを有し、上記モータによって上記ドライブユニットの昇降方向と略直交する方向に移動可能に駆動されるピックアップユニットとを備えるものである。上記ピックアップユニットは掛止片を有し、上記シャーシは上記掛止片に掛合可能な掛止部を有する。そして、上記ドライブユニットが下降した状態において、上記シャーシに設けられた掛止部に上記ピックアップユニットに設けられた掛止片が掛合することにより、上記ピックアップユニットが上記シャーシに対してロックされるように構成される。
【００１６】
このように、ピックアップユニットのロック機構を、ドライブユニットが下降した状態においてピックアップユニットとシャーシとが掛合する構成にて実現することにより、従来に比してロック機構を大幅に簡素化できようになるとともに少ない部品点数でロック機構を構成することが可能になる。このため、製造コストが大幅に削減できるとともに装置を小型化することが可能になる。
【００１７】
上記本発明の第２の局面に基づくディスク装置にあっては、上記掛止片が上記ピックアップユニットの移動方向における上記ピックアップユニットの一方端から略Ｌ字状に突出して設けられることが好ましい。そして、この場合に、上記掛止部が上記掛止片と上記ピックアップユニットの移動方向において対峙する部分の上記シャーシに上記掛止片よりも僅かに大きい略Ｌ字状の切り欠き部を上記ドライブユニットの昇降方向に延設することによって形成されていることが好ましい。
【００１８】
このように、ピックアップユニットに設けられる掛止片を略Ｌ字状とし、この掛止片に掛合する略Ｌ字状の切り欠き部からなる掛止部をシャーシに設ける構成とすることにより、ドライブユニットの昇降動作にあわせてピックアップユニットのロックおよびロックの解除が行なえるようになる。また、このように構成することにより、確実なロック動作が簡素な構成にて実現されるため、製造コストを大幅に削減することができる。
【００１９】
上記本発明の第２の局面に基づくディスク装置にあっては、上記ピックアップユニットの移動方向における上記掛止部の切り欠き部の大きさを上記掛止部の上部に比べて下部で大きく構成することが好ましい。そして、この場合、上記ピックアップユニットの移動方向における上記掛止部の下部における切り欠き部の大きさが上記掛止部の下端に近付くに連れて徐々に大きくなるように構成することが好ましい。
【００２０】
このように構成することにより、樹脂材料を原料としてシャーシを射出成形にて形成した場合に、成形したシャーシを金型から容易に抜くことが可能になるため、作業性の改善および歩留まりの向上が期待できるようになる。
【発明の効果】
【００２１】
本発明によれば、部品点数を削減できるとともに装置の小型化が可能であり、かつ簡素な構成でピックアップユニットのロック機構が構成し得る。
【発明を実施するための最良の形態】
【００２２】
以下、本発明の一実施の形態について、図を参照して説明する。
【００２３】
図１は、本発明の一実施の形態におけるディスク装置の内部構成を示す平面図である。また、図２は、図１に示すディスク装置における要部を示す分解斜視図である。
【００２４】
図１および図２に示すように、本実施の形態におけるディスク装置１は、シャーシ２を有している。シャーシ２には、ディスクトレイ３とドライブユニット４とが取付けられている。ディスクトレイ３は、シャーシ２によって移動自在に支持されており、図中矢印Ｙ方向に移動可能である。ドライブユニット４の一対の側面にはそれぞれピン４ｂが設けられており、このピン４ｂはシャーシ２に設けられた軸受け部によって軸支される。これにより、ドライブユニット４は、ピン４ｂを軸にシャーシ２によって昇降自在に支持され、図中矢印Ｚ方向（図１において紙面に垂直な方向）に昇降可能である。
【００２５】
ドライブユニット４には、チャック部であるターンテーブル７が組付けられている。ターンテーブル７は、ドライブユニット４が昇降することにより、ディスクトレイ３に載置されたディスク２０の孔部２１に係脱する。これにより、ディスク２０がターンテーブル７によってチャックされたり、あるいはチャックされていたディスク２０がリリースされたりする。
【００２６】
ドライブユニット４には、ピックアップ６が固定されたピックアップユニット５がターンテーブル７の中心線上に設けられている。ピックアップユニット５は、ドライブユニット４に設けられたガイドシャフト１５によって図中矢印Ｙ方向に移動自在に支持されている。なお、ピックアップ６は、レーザ光をディスク２０の情報記録トラックに照射することにより、ディスク２０の再生や記録等を行なう装置である。
【００２７】
ピックアップユニット５の側方には、モータ８およびこのモータ８の駆動力を伝達する複数のギヤ１０，１１，１２からなる伝達部９が配設されている。伝達部９の一部であるギヤ１０は、ピックアップユニット５に形成されたラック５ａに噛合可能に配設されている。これにより、モータ８の駆動力によってピックアップユニット５が図中矢印Ｙ方向に移動する。また、伝達部９の一部であるギヤ１２は、シャーシ２に取付けられたトレイギヤ１３に連結されている。トレイギヤ１３は、ディスクトレイ３に形成されたラック３ａに噛合可能に配設されている。これにより、モータ８の駆動力によってディスクトレイ３が図中矢印Ｙ方向に移動する。
【００２８】
シャーシ２には、昇降手段であるカムスライダ１８が図中矢印Ｘ方向に移動可能に取付けられている。カムスライダ１８には、トレイギヤ１３に噛合可能なラック１８ａと、ドライブユニット４に設けられたボス４ａに係合するカム溝１８ｂと、ディスクトレイ３の下面に設けられたカム溝３ｂに係合するカム突起１８ｃと、ピックアップユニットに設けられたカム突起５ｂに係合するカム溝１８ｄとが設けられている。
【００２９】
カムスライダ１８は、ラック１８ａとトレイギヤ１３とが噛合することにより、モータ８の駆動力によって図中矢印Ｘ方向に移動する。また、カムスライダ１８は、カム突起１８ｃとディスクトレイ３に設けられたカム溝３ｂとの係合により、ディスクトレイ３の図中矢印Ｘ方向の移動にあわせて図中矢印Ｙ方向に移動する。
【００３０】
一方、ドライブユニット４は、ボス４ａとカムスライダ１８に設けられたカム溝１８との係合により、カムスライダ１８の図中矢印Ｙ方向の移動にあわせて図中矢印Ｚ方向に昇降する。また、ピックアップユニット５は、カム突起５ｂとカムスライダ１８に設けられたカム溝１８ｄとの係合により、カムスライダ１８の図中矢印Ｙ方向の移動にあわせて図中矢印Ｘ方向に移動する。
【００３１】
ピックアップユニット５のカムスライダ１８側の先端には、Ｌ字状の掛止片５ｃが突設されている。一方、シャーシ２の上記掛止片５ｃとピックアップユニット５の移動方向において対峙する部分には、上記掛止片５ｃよりも僅かに大きいＬ字状の切り込み部がドライブユニット４の昇降方向に延設されている。これにより、シャーシ２にＬ字状の切り欠き部を有する掛止部２ａが形成されている。
【００３２】
この掛止部２ａは、上記掛止片５ｃと掛合可能に形成されている。この掛止片５ｃおよび掛止部２ａは、ドライブユニット４が下降した状態において掛合し、ドライブユニット４が上昇した状態において掛合が解除される。すなわち、ドライブユニット４が下降した状態においてのみピックアップユニット５をシャーシ２に対してロックし、ピックアップユニット５の移動を制限する。
【００３３】
図３は、本実施の形態におけるディスク装置のピックアップユニットのロック機構の構成および動作を説明するための模式断面図である。以下においては、図１ないし図３を参照して、上記構成のディスク装置１の動作およびロック機構の動作について詳細に説明する。
【００３４】
モータ８を作動させることにより、モータ８の駆動力を伝達する伝達部９である各ギヤ１０，１１，１２、およびトレイギヤ１３が回転駆動される。ディスクトレイ３がディスク装置１の装置本体内部に収容された状態においては、ギヤ１０とピックアップユニット５のラック５ａとが噛合しており、これによってモータ８の正逆回転によりピックアップユニット５がディスク２０の径方向（図中矢印Ｙ方向）に往復動し、ピックアップ６が所定位置に配される。
【００３５】
このとき、カムスライダ１８は、図１において下方（すなわち、トレイギヤ１３と遠ざかる方向）に配されており、ドライブユニット４は、カム溝１８ｂとボス４ａとの係合によって上昇位置に配されている。それにより、ディスク２０がターンテーブル７によってチャックされている。なお、この状態において、トレイギヤ１３とディスクトレイ３に設けられたラック３ａとの噛合は解除されており、また、トレイギヤ１３とカムスライダ１８に設けられたラック１８ａとの噛合も解除されている。
【００３６】
ディスク２０を搬出する際（ディスクトレイ３を装置外に引き出す際）には、図１および図３を参照して、モータ８が作動することによって回転駆動されたギヤ１０によってピックアップユニット５がカムスライダ１８側に向かって（図３（ａ）中矢印Ｘ１方向に向かって）移動する。この移動に伴ってピックアップユニット５に設けられたカム突起５ｂと、カムスライダ１８に設けられたカム溝１８ｄとが噛合する（図３（ｂ）参照）。このカム溝１８ｄとカム突起５ｂとの噛合により、カムスライダ１８がカム突起５ｂに案内されて図１において上方（すなわち、トレイギヤ１３に近付く方向）に移動する。これにより、カムスライダ１８のラック１８ａとトレイギヤ１３とが噛合する。
【００３７】
そして、トレイギヤ１３によってカムスライダ１８がさらに移動することにより、カムスライダ１８に設けられたカム溝１８ｂに案内されてドライブユニット４が下降する。このドライブユニット４の下降により、ターンテーブル７によるディスク２０のチャックが解除される。
【００３８】
また、この際、図３（ｃ）に示すように、ピックアップユニット５に設けられた掛止片５ｃがシャーシ２に設けられた掛止部２ａの切り欠き部内に進入し、掛止片５ｃと掛止部２ｂとの掛合が実現される。これにより、シャーシ２に対してピックアップユニット５がロックされ、その移動が制限されるようになる。このため、ピックアップユニット５の位置ずれが防止される。
【００３９】
また、これと同時に、カムスライダ１８のカム突起１８ｃとディスクトレイ３のカム溝３ｂとの噛合により、ディスクトレイ３が僅かに引き出される。これによって、トレイギヤ１３とディスクトレイ３のラック３ａとが噛合し、トレイギヤ１３によってディスクトレイ３が着脱位置にまで引き出される。
【００４０】
ディスク２０を搬入する際（ディスクトレイを装置本体内部に収容する際）には、イジェクトボタン（図示せず）を押下することにより、モータ８が回転し、上記搬出動作と逆の動作を行なうことにより、ディスクトレイ３が装置本体内部に搬入されてディスク２０がターンテーブル７によってチャックされる。
【００４１】
以上において説明した構成を採用することにより、従来に比してロック機構を大幅に簡素化できようになるとともに少ない部品点数でロック機構を構成することが可能になる。このため、製造コストが大幅に削減できるとともに装置を小型化することが可能になる。また、ドライブユニットの昇降動作にあわせてピックアップユニットのロックおよびロックの解除が行なえるようになるため、確実にピックアップユニットをロックすることが可能になる。その結果、モータに対するピックアップユニットのスタート位置が決定できるため、ディスク装置が揺動下場合にもピックアップ装置が位置ずれを起こすことがなくなり、動作不良が発生しなくなる。
【００４２】
図４は、上述の構成のディスク装置において、シャーシに形成する掛止部のより好適な形状を示す模式断面図である。図４（ａ）に示す変形例では、図示のように掛止部２ａ１の下部をテーパ形状とし、ピックアップユニット５の移動方向における掛止部２ａ１の切り欠き部の大きさを、上部に比べて下部で大きくなるように形成している。そして、ピックアップユニット５の移動方向における掛止部２ａ１の下部における切り欠き部の大きさを、掛止部２ａ１の下端に近付くに連れて徐々に大きくなるように形成している。
【００４３】
図４（ｂ）に示す他の変形例では、図示のように掛止部２ａ２の下部を曲面形状とし、ピックアップユニット５の移動方向における掛止部２ａ２の切り欠き部の大きさを、上部に比べて下部で大きくなるように形成している。そして、ピックアップユニット５の移動方向における掛止部２ａ２の下部における切り欠き部の大きさを、掛止部２ａ２の下端に近付くに連れて徐々に大きくなるように形成している。
【００４４】
通常、シャーシ２は樹脂材料を原料とした射出成形にて形成される場合が多いため、上述の如くの掛止部２ａ１，２ａ２とすることにより、射出成形工程において、成形したシャーシを金型から容易に抜くことが可能になる。そのため、射出成形工程の作業性の改善および歩留まりの向上が期待できる。
【００４５】
上述の一実施の形態においては、ディスク装置としてディスクトレイを有するトレイタイプのものを例示して説明を行なったが、本発明は、ディスクトレイを有しないスロットインタイプのディスク装置にも当然に適用することが可能である。
【００４６】
また、本発明は、ＣＤ、ＣＤ−ＲＯＭ（Compact Disc-Read Only Memory）、ＣＤ−Ｒ（Compact Disc-Recordable）、ＣＤ−ＲＷ（Compact Disc-Rewritable）、ＤＶＤ、ＤＶＤ−ＲＯＭ（Digital Versatile Disc-Read Only Memory）、ＤＶＤ−Ｒ（Digital Versatile Disc-Recordable）、ＤＶＤ−ＲＷ（Digital Versatile Disc-Rewritable）などのディスク状記録媒体を対象とするあらゆるディスク装置に適用が可能である。また、本発明は、単体で設置される外付けのディスク装置のみならず、他の装置にアセンブリとして組み込まれるディスク装置にも当然に適用可能である。
【００４７】
このように、今回開示した上記一実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【００４８】
【図１】本発明の一実施の形態におけるディスク装置の内部構成を示す平面図である。
【図２】図１に示すディスク装置の要部を示す分解斜視図である。
【図３】本発明の実施の形態１におけるディスク装置のピックアップユニットのロック機構の構成および動作を説明するための模式断面図である。
【図４】本発明の一実施の形態におけるディスク装置において、シャーシに形成する掛止部の形状のより好適な例を示す模式断面図である。
【符号の説明】
【００４９】
１  ディスク装置、２  シャーシ、２ａ，２ａ１，２ａ２  掛止部、３  ディスクトレイ、３ａ  ラック、３ｂ  カム溝、４  ドライブユニット、４ａ  ボス、４ｂ  ピン、５  ピックアップユニット、５ａ  ラック、５ｂ  カム突起、５ｃ  掛止片、６  ピックアップ、７  ターンテーブル、８  モータ、９  伝達部、１０〜１２  ギヤ、１３  トレイギヤ、１５  ガイドシャフト、１８  カムスライダ、１８ａ  ラック、１８ｂ  カム溝、１８ｃ  カム突起、１８ｄ  カム溝、２０  ディスク、２１  孔部。
【図１】
2006004563.tif 000003
【図２】
2006004563.tif 000004
【図３】
2006004563.tif 000005
【図４】
2006004563.tif 000006